(57)【要約】 【課題】  手術の途中にて、患者を裏返すことなく、簡易かつ安全に、電気離脱型コイルを使用させる。【解決手段】  シース３３およびシース３３の内腔に通すガイディングカテーテル３２を用いて、電気離脱型コイル２０が使用される場合に、対極電極１０における導電体１１は、シース３３の内面とガイディングカテーテル３２の外面との隙間に入り込みつつ延びて、シース３３の両端から露出する。【選択図】    図１
2014207947.tif 000002
【特許請求の範囲】
【請求項１】
電源からの電気エネルギーを受ける単極を備える搬送具と、上記電気エネルギーによって上記搬送具から離脱され生体内に留置される留置部と、を有する電気離脱型生体内留置具に使用される対極電極であって、
上記電気離脱型生体内留置具に、シースおよび上記シースの内腔に通すガイディングカテーテルを併用する場合、
上記シースの内面と上記ガイディングカテーテルの外面との隙間に入り込みつつ延びて、上記シースの両端から露出する導電体を含む対極電極。
【請求項２】
上記導電体は、上記シースにおける両端の一方から露出する薄膜電極片、他方から露出する接続端子、および、上記薄膜電極片から上記接続端子に至る導通線を含む請求項１に記載の対極電極。
【請求項３】
上記薄膜電極片は、対向する端部同士を近づけることで、上記シースの内面と上記ガイディングカテーテルの外面との隙間に沿う形状となる請求項２に記載の対極電極。
【請求項４】
上記導電体は、上記シースの内面と上記ガイディングカテーテルの外面との隙間に入り込む薄膜シートに保持される請求項１〜３に記載の対極電極。
【請求項５】
上記薄膜シートは、対向する端部同士を近づけることで、上記シースの内面と上記ガイディングカテーテルの外面との隙間に沿う形状となる請求項４に記載の対極電極。
【請求項６】
上記薄膜シートは、スリットを有するチューブである請求項５に記載の対極電極。
【請求項７】
上記薄膜シートには、上記シースの両端の縁に当たることで、移動を停止させるストッパーが形成される請求項４〜６のいずか１項に記載の対極電極。
【請求項８】
上記ストッパーは、上記導電体の一部で、上記シースにおける両端の他方から露出する接続端子および導通線の少なくとも一方が兼ねる請求項７に記載の対極電極。
【請求項９】
請求項１〜８のいずれか１項に記載の対極電極と、
上記対極電極に対応する単極を有する電気離脱型生体内留置具と、
を含む電気離脱型生体内留置具キット。
【発明の詳細な説明】
【技術分野】
【０００１】
本発明は、対極電極および電気離脱型生体内留置具キットに関する。
【背景技術】
【０００２】
現在、動脈瘤など血管内病変に対する侵襲の少ない治療法としてカテーテル等を使用する血管内治療法が知られている。例えば、図８に示されるように、電気離脱型コイル１２０を用いる手技が知られている。
【０００３】
この手技では、電源１４０からの電気エネルギーを受ける電気離脱型コイル１２０が、シース１３３、ガイディングカテーテル１３２、およびマイクロカテーテル１３１と併用されることで、患者１６１の動脈瘤１６０等に導かれる。さらに、電気離脱型コイル１２０は、電気エネルギーによって、プッシャー１２２から留置コイル１２１を離脱させて、動脈瘤１６１等に留置させる。
【０００４】
このような電気離脱型コイル１２０は、動脈瘤１６０等の病変までのスムーズな移動を実現させるとともに、病変に対して過大な負荷（動脈瘤の壁を傷つける等）を与えないようにすべく、柔軟性を要求される。この要求に対する工夫としては、例えば、留置コイル１２１を搬送させるプッシャー１２２を可能な限り細くすることが挙げられる。
【０００５】
そのため、図８に示されるような電気離脱型コイル１２０、および、特許文献１に記載の電気離脱型コイルのように、電源１４０からの電気エネルギーを受ける電極も兼ねるプッシャー１２２は、１本の導電性ワイヤーで形成されていると望ましい（このよう電気離脱型コイルは、モノポーラ式と称される）。
【０００６】
ところで、電気離脱型コイル１２０では、プッシャー１２２と留置コイル１２１との接続を断つべく、電気エネルギー（電流等）の流路となる電気回路を構築せねばならないため、単極であるプッシャー１２２に対応する対極１１０も必要になる。そして、モノポーラ式の電気離脱型コイル１２０の場合、図８に示されるように、対極１１０は、体外、特に患者の背中に貼られるタイプ（貼付型対極板）が多い。
【先行技術文献】
【特許文献】
【０００７】
【特許文献１】特表２００４−５３４５５３号公報
【発明の概要】
【発明が解決しようとする課題】
【０００８】
しかしながら、貼付型対極板であると、手術の途中にて、電気離脱型コイルを要するような事態になった場合、患者を裏返えさなくてはならず、このような電気離脱型コイルは、使い勝手がよいとはいいがたい。
【０００９】
また、貼付型対極板ではなく、患者の鼠径部に挿入するような針型対極板も有るが、このような針の場合、患者に対する負担が大きい。
【００１０】
本発明は、上記の問題点を解決するためになされたものである。そして、その目的は、手術の途中にて、患者を裏返すことなく、簡易、安全、かつ低侵襲に、電気離脱型コイルを使用させる対極電極等を提供することにある。
【課題を解決するための手段】
【００１１】
電源からの電気エネルギーを受ける単極を備える搬送具と、電気エネルギーによって搬送具から離脱され生体内に留置される留置部と、を有する電気離脱型生体内留置具に対しては、対極電極が使用される。電気離脱型生体内留置具に、シースおよびシースの内腔に通すガイディングカテーテルを併用する場合、対極電極は、シースの内面とガイディングカテーテルの外面との隙間に入り込みつつ延びて、シースの両端から露出する導電体を含む。
【００１２】
また、導電体は、シースにおける両端の一方から露出する薄膜電極片、他方から露出する接続端子、および、薄膜電極片から接続端子に至る導通線を含むと望ましい。
【００１３】
また、薄膜電極片は、対向する端部同士を近づけることで、シースの内面とガイディングカテーテルの外面との隙間に沿う形状になると望ましい。
【００１４】
また、導電体は、シースの内面とガイディングカテーテルの外面との隙間に入り込む薄膜シートに保持されると望ましい。
【００１５】
また、薄膜シートは、対向する端部同士を近づけることで、シースの内面とガイディングカテーテルの外面との隙間に沿う形状になると望ましい。
【００１６】
また、薄膜シートは、スリットを有するチューブであると望ましい。
【００１７】
また、薄膜シートには、シースの両端の縁に当たることで、移動を停止させるストッパーが形成されると望ましい。
【００１８】
また、ストッパーは、導電体の一部で、シースにおける両端の他方から露出する接続端子および導通線の少なくとも一方が兼ねると望ましい。
【００１９】
なお、以上の対極電極と、この対極電極に対応する単極を有する電気離脱型生体内留置具と、を含む電気離脱型生体内留置具キットも、本発明といえる。
【発明の効果】
【００２０】
本発明の対極電極によれば、手術の途中にて、患者を裏返すことなく、簡易、安全、かつ低侵襲に、電気離脱型コイルを使用できる。
【図面の簡単な説明】
【００２１】
【図１】は、電気離脱型コイルと、この電気離脱型コイルに併用されるマイクロカテーテル、ガイディングカテーテル、シース、および、対極電極、を示す斜視図である。
【図２】は、図１におけるＡ−Ａ’線矢視断面図であり、シースにて覆われる、電気離脱型コイル、マイクロカテーテル、ガイディングカテーテル、対極電極、および、シース、の断面を示す。
【図３】は、図１におけるＢ−Ｂ’線矢視断面図であり、シースの遠位端から露出する、電気離脱型コイル、マイクロカテーテル、ガイディングカテーテル、および、対極電極の断面を示す。
【図４】は、動脈瘤等を患った患者に対して、電気離脱型コイルを使用する様子を示す説明図である。
【図５】は、対極電極を示す斜視図である。
【図６】は、動脈瘤等を患った患者に対して、電気離脱型コイルを使用している場合に形成される電気回路を示す電気回路図である。
【図７】は、対極電極を示す斜視図である。
【図８】は、動脈瘤等を患った患者に対して、従来の電気離脱型コイルを使用する様子を示す説明図である。
【発明を実施するための形態】
【００２２】
［実施の形態１］
実施の一形態について、図面に基づいて説明すれば、以下の通りである。なお、便宜上、ハッチングや部材符号等を省略する場合もあるが、かかる場合、他の図面を参照するものとする。逆に、便宜上、断面図でなくてもハッチングを使用することもある。また、図面における種々部材の寸法は、便宜上、見やすいように調整されていることがある。
【００２３】
図１は、電気離脱型コイル［電気離脱型生体内留置具］２０と、この電気離脱型コイル２０と併用される、マイクロカテーテル３１、ガイディングカテーテル３２、シース３３、電源４０、および、対極電極１０、を示す斜視図である。図２は図１におけるＡ−Ａ’線矢視断面図であり、図３は図１におけるＢ−Ｂ’線矢視断面図である。
【００２４】
図４は、動脈瘤（例えば、脳動脈瘤６０）を患った患者６１に対して、電気離脱型コイル２０を使用する様子を示す説明図である。図５は、対極電極１０の拡大斜視図である。なお、対極電極１０と、この対極電極１０に対応する電極コイル２４を有する電気離脱型コイル２０とを含むキットを、電気離脱型コイルキット［電気離脱型生体内留置具キット］ＫＴと称する。
【００２５】
電気離脱型コイル２０は、図４に示されるように、電源４０からの電気エネルギー（電流等）を利用して、螺旋状等の留置コイル［留置部］２１を動脈瘤６０等の病変に留置させる医療器具である。
【００２６】
そして、この電気離脱型コイル２０は、マイクロカテーテル３１の内腔に挿入されることで、動脈瘤６０の入口にまで誘導され、マイクロカテーテル３１は、ガイディングカテーテル３２の内腔に挿入されることで、動脈瘤６０に近づくように誘導される。また、ガイディングカテーテル３２は、患者６１に体表面から体内に差し込まれるシース３３の内腔に挿入されることで、体内に誘導される。
【００２７】
電源４０は、電気エネルギーである電流（例えば高周波電流）を電気離脱型コイル２０に対して供給する。詳説すると、電源４０は、電流を供給することで、留置コイル２１を電気離脱型コイル２０に接続させている部材（接続片２５；後述）を断ち、その留置コイル２１を離脱させる。なお、電源４０は、接続片２５を溶解または電解等で断絶させられるだけの電気エネルギーを供給できるものであれば、特に限定されるものではない。
【００２８】
電気離脱型コイル２０は、図１に示されるように、留置コイル２１の他に、この留置コイル２１を搬送するプッシャー［搬送具］２２、および、プッシャー２２と留置コイル２１とを接続する接続片［接続部］２５、を含む。
【００２９】
なお、以降では、電気離脱型コイル２０のプッシャー２２において、留置コイル２１の配置される側を遠位側、この遠位側の反対側を近位側、とする。また、各部材における側を明示する場合、近位側、遠位側と称することもある。また、各部材において、近位側の端を近位端、近位端の付近を近位端部とするとともに、遠位側の端を遠位端、遠位端の付近を遠位端部とすることもある。
【００３０】
留置コイル２１は、生体内、例えば、血管に生じた動脈瘤のような病変に留置されるもので、線材（素線）を加工することで形成される。線材の材料は、特に限定されるものではないが、例えば、プラチナ（白金）、タングステン、金、タンタル、イリジウム、チタニウム、ステンレス、または、これら材料から適宜選択された材料で形成される合金、が挙げられる。また、線材の断面形状（線材の全長方向に対する直交断面形状）も、特に限定されず、例えば、円形、楕円形、多角形が挙げられる。
【００３１】
そして、線材がマンドレル等に巻き付けられて螺旋状等に１次加工され（この1次加工後の線材を１次コイルとも称する）、さらに、この１次コイルが、別なマンドレル等に巻き付けられて螺旋状等に２次加工されることで（この２次加工後の線材を２次コイルとも称する）、留置コイル２１は完成する（なお、３次加工を経て完成する留置コイル２１であっても構わない）。
【００３２】
プッシャー２２は、留置コイル２１を搬送させる線材で、例えば、導電性のワイヤー２３と、このワイヤー２３に取り付けられる電極コイル［電極（単極）］２４とを含む（なお、電極コイル２４を有するワイヤー２３を電極と称しても構わないし、プッシャー２２そのものを電極としても構わない）。
【００３３】
ワイヤー２３は、プッシャー２２の大部分を占める部材で、例えば、ステンレス合金のような導電性の線材である。そして、プッシャー２２は、体内にて曲がりくねるマイクロカテーテル３１の内腔に挿入され、術者によって進められるため、ワイヤー２３は、柔軟性を有するだけでなく、術者の力を効率よく遠位端に向けて伝える高い伝達性（プッシャビリティ）を有する。
【００３４】
電極コイル２４は、ワイヤー２３同様、導電性の材料で形成されたコイルで、ワイヤー２３の先端（遠位端）に取り付けられる（なお、この取り付け方は、特に限定されるものではない）。そのため、例えば、ワイヤー２３に電流が流れると、この電極コイル２４にも電流は流れる。また、ワイヤー２３に供給された電流が流れるのであれば、コイル状以外のその他の種々形状で電極２４は形成されていてもよい。
【００３５】
なお、プッシャー２２は、電極コイル２４とワイヤー２３とを物理的に接続させて１本状にするとともに電気的にも接続させ、さらに、電源４０における端子４１｛正端子（＋端子）４１Ａまたは負端子（−端子）４１Ｂ｝の一方に、リード線５１Ａ等を介してつなげられる。そのため、電源４０からの電気エネルギーを受ける電極コイル２４を備えるプッシャー２２（詳説すると、電極コイル２４）は、１個の電極（単極）として機能する。そこで、このようなプッシャー２２を含む電気離脱型コイル２０は、モノポーラ式と称される。
【００３６】
接続片２５は、プッシャー２２と留置コイル２１とをつなぐ接続部材で、例えば、中実のロッド状または中空のチューブ状のような棒である。そして、この接続片２５は、電極コイル２４の内腔に差し込まれるとともに、留置コイル２１の内腔に差し込まれ、接着剤等で、電極コイル２４・留置コイル２１に固定される。
【００３７】
なお、接続片２５は、電流等のような電気エネルギーの影響で断絶するような材料で形成される。例えば、ポリビニルアルコールのような熱可塑性材料が挙げられる。このようなポリビニルアルコール製の接続片２５であれば、電気エネルギーを受け発熱する電極コイル２４により溶断させられ、留置コイル２１を電気離脱型コイル２０から離脱させる（すなわち、留置コイル２１は、電気エネルギーによってプッシャー２２から離脱され生体内に留置される）。
【００３８】
ここで、電極コイル２４（ひいてはプッシャー２２）に対応する対極電極１０、すなわち、電源４０の電気エネルギーを利用するための電気回路Ｘ（図６参照）の形成に要する導電性部材である対極電極１０について、説明する。
【００３９】
対極電極１０は、電極コイル２４（ひいてはプッシャー２２）との短絡（ショート）を防止しつつ、電気回路Ｘを形成するために、自身と電極コイル２４との間に、患者の生体内電解質６３（血液等）を介在させるに適した構造である。このような対極電極１０は、薄膜シート１６と、血液６３等を介して電極コイル２４に導通する導電体１１とを含む。
【００４０】
薄膜シート１６は、ポリイミド等の絶縁性材料で形成されるシートで、導電体１１を保持する。そして、薄膜シート１６は、導電体１１の一端を体内（血液６３等）に配置させる一方、図４に示されるように、導電体１１の他端を体外に配置させて、電源４０からの電気エネルギー供給を受けやすいようにする。詳説すると、薄膜シート１６は、図２に示されるように、筒状のシース３３の内面３３Ｎと筒状のガイディングカテーテル３２の外面３２Ｔとの隙間Ｐに入り込むことで、体外から体内へと進入し、保持する導電体１１の一端を体内に配置させ、他端を体外に露出させる。
【００４１】
そこで、薄膜シート１６は、図１に示されるように、導電体１１を保持した状態で、少なくとも一部の肉厚を、シース３３の内面３３Ｎとガイディングカテーテル３２の外面３２Ｔとの隙間Ｐよりも薄くする。さらに、薄膜シート１６は、シース３３の全長（シース３３の近位端から遠位端までの長さ）と同程度またはそれ以上の全長を有する。
【００４２】
導電体１１は、薄膜シート１６の遠位端部から近位端部に至るまで延びた状態で薄膜シート１６に保持される（例えば、導電体１１は、薄膜シート１６の全長方向に沿って、シース３３の全長よりも長い全長を有する）。なお、導電体１１は、薄膜シート１６に保持されつつ、隙間Ｐに入り込むので、導電体１１の少なくとも一部の肉厚も、隙間Ｐより薄い。
【００４３】
このような対極電極１０であると、シース３３およびシース３３の内腔に通すガイディングカテーテル３２を用いて、電気離脱型コイル２０が使用される場合に、シース３３の遠位端から薄膜シート１６の一端と導電体１１の一端、シース３３の近位端から薄膜シート１６の他端と導電体１１の他端が、シース３３から露出する。すなわち、導電体１１は、シース３３の内面３３Ｎとガイディングカテーテル３２の外面３２Ｔとの隙間Ｐに入り込み、体内にあるシース３３の遠位端から一端を露出させ、体外にあるシース３３の近位端から他端を露出させる。
【００４４】
そのため、体外側の導電体１１の一部に、電源４０における端子４１｛負端子（−端子）４１Ｂまたは正端子（＋端子）４１Ａ｝の他方が、リード線５１Ｂを介してつなげられると、リード線５１Ａ、プッシャー２２、生体内電解質６３、対極電極１０（詳説すると導電体１１）、および、リード線５１Ｂが電気的に接続され、図６に示されるような電気回路Ｘが形成される。そして、この電気回路Ｘを流れる電気エネルギーによって、電極コイル２４が発熱し、プッシャー２２の接続片２５が溶解して断絶し、留置コイル２１がプッシャー２２から離脱する。
【００４５】
そして、この電気回路Ｘの形成に要する対極電極１０は、例えば足の付け根（鼠径部）の大腿動脈６１Ｆに挿入されているシース３３とガイディングカテーテル３２との隙間Ｐの近位端の開口から、隙間Ｐに差し込まれる。そのため、手術の途中にて、患者６１を裏返すことなく、簡易、安全、かつ低侵襲に、電気離脱型コイル２０を使用できる。
【００４６】
ここで、対極電極１０における導電体１１について、図５を用いて詳説する。導電体１１は、電源４０における端子４１｛負端子（−端子）４１Ｂまたは正端子（＋端子）４１Ａ｝の他方につなげられるもので、接続端子１２、薄膜電極片１３、および導通線１４を含む。
【００４７】
接続端子１２は、体外に配置され、リード線５１Ｂ等を介して電源４０に接続される端子である。この接続端子１２の形状は、図５ではリング状であるが、リード線５１Ｂをつなげやすい形状であれば、特に限定されるものではなく、シート状、ロッド状、またはプレート状であっても構わない。
【００４８】
薄膜電極片１３は、体内に配置され、例えば、シース３３の内面とガイディングカテーテル３２の外面との隙間Ｐに入り込める程度の極めて薄い膜状の電極である。詳説すると、薄膜電極片１３の肉厚は、薄膜シート１６に保持された状態で、隙間Ｐの近位端から遠位端までを通過できる厚みである。なお、この薄膜電極片１３の形状は、隙間Ｐに入り込める形状であれば、特に限定されず、例えば、切片状でも棒状であっても構わない。
【００４９】
導通線１４は、薄膜電極片１３と接続端子１２とを物理的かつ電気的につなぐ線で、シース３３の全長よりも長い全長を有する。そして、この導通線１４が、薄膜電極片１３と接続端子１２との間に架け渡ることで、薄膜電極片１３、導通線１４、および接続端子１２は、この順で一列に並び、かつ、物理的に一連状に接続し、電気的にも接続する。
【００５０】
なお、導通線１４において、薄膜電極片１３に近い部分はシース３３の遠位端から露出して体内に、接続端子１２に近い部分はシース３３の近位端から露出して体外に配置される。そのため、導通線１４において、シース３３の遠位端から露出する部分、および、シース３３内部に留まる部分は、隙間Ｐよりも薄い（要は、導通線１４の少なくとも一部の厚みは、隙間Ｐに入り込める程度の厚みである）。
【００５１】
そして、このような導電体１１、すなわち、シース３３における両端の一方である遠位端から露出する薄膜電極片１３、他方である近位端から露出する接続端子１２、および、薄膜電極片１３から接続端子１２に至る導通線１４を含む導電体１１であれば、接続端子１２を介して、電源４０を簡単に接続できる一方、薄膜電極片１３は体内に留置されるので、血液６３等を介して、電気回路Ｘが確実に形成される。
【００５２】
なお、薄膜電極片１３の形状は、特に限定されるものではないが、薄膜電極片１３は、シース３３の内面とガイディングカテーテル３２の外面との隙間Ｐを通過しなくてはならないので、対向する端部同士を近づけることで、隙間Ｐに沿う形状になっていると望ましい。
【００５３】
例えば、図２に示されるよう、円筒のような筒状のシース３３の内面３３Ｎと、同じく円筒のような筒状のガイディングカテーテル３２の外面３２Ｔとの隙間Ｐが円環のような環状の場合、薄膜電極片１３は、導電体１１の全長方向を境にした一方側の端部と、他方側の端部とを近づけることで、隙間Ｐに沿う形状である英文字Ｃ形状｛導電体１１の全長方向に対する交差（例えば直交）断面にて英文字Ｃ形状｝になっていると望ましい。このようになっていれば、薄膜電極片１３は、隙間Ｐを通過しやすい。
【００５４】
また、このような薄膜電極片１３を含む導電体１１は、隙間Ｐに入り込む薄膜シート１６に保持されることで、取扱いしやすいようになっているが、導電体１１を保持する薄膜シート１６も、自身の全長方向を境に一方側の端部と他方側の端部とを近づけることで、隙間Ｐに沿う形状になっていると望ましい。
【００５５】
例えば、図２に示されるような、円筒状のシース３３の内面３３Ｎと円筒状のガイディングカテーテル３２の外面３２Ｔとの隙間Ｐが円環状の場合、薄膜電極片１３同様に、薄膜シート１６も、隙間Ｐに沿う形状である英文字Ｃ形状にするとよい
【００５６】
このような英文字Ｃ形状に丸まった薄膜シート１６は、薄膜電極片１３を保持しつつ、隙間Ｐに入り込んで進みやすい。その上、薄膜シート１６が、丸まって棒状になると、単純なシートに比べて、自身の全長方向、および、その全長方向に対する交差方向に対しても撓みにくくなり（要は、強度を増し）、対極電極１０への術者の押し込み力が伝わりやすくなる（プッシャビリティが向上する）。
【００５７】
なお、チューブが、自身の全長方向に沿うスリット１７（図５参照）を有することで、断面英文字Ｃ形状の薄膜シート１６になってもいてもよい。このようなチューブ１６（便宜上、薄膜シート１６と同じ部材番号を使用する）であれば、簡単に薄膜シート１６が製造される。
【００５８】
なお、薄膜シート１６による導電体１１の保持の仕方は、特に限定されるものではないが、薄膜シート１６の全長方向に沿った導電体１１の一端と他端と（すなわち、導電体１１全長方向の一端と他端と）が、薄膜シート１６から露出させるようになっていると、その一端が体内、その他端が体外に配置されやすい。そこで、薄膜シート１６の表面上に、導電体１１が露出するように埋め込まれることが、保持の仕方の一例として挙げられる。
【００５９】
［その他の実施の形態］
なお、本発明は上記の実施の形態に限定されず、本発明の趣旨を逸脱しない範囲で、種々の変更が可能である。
【００６０】
例えば、対極電極１０の薄膜シート１６の厚みは、一定である必要はない。対極電極１０は、円筒状のシース３３の内面３３Ｎと円筒状のガイディングカテーテル３２の外面３２Ｔとの隙間Ｐに入り込んで進行するが、その隙間Ｐの近位端を経て遠位端から出てくるのは、一部分だけである。したがって、薄膜シート１６の肉厚は、隙間Ｐの近位端を経て遠位端から出てくる部分のみが、隙間Ｐより薄ければよい
【００６１】
なお、薄膜シート１６は、導電体１１を保持する。そのため、例えば、導電体１１（特に、薄膜電極片１３および導通線１４）が薄膜シート１６の表面から盛り上がるように保持されているならば、隙間Ｐを通過する対極電極１０の部分では、導電体１１の厚みを加味した薄膜シート１６の最大肉厚が隙間Ｐより薄くなる。
【００６２】
また、以上では、対極電極１０は、薄膜シート１６を有していたが、必須とは限らない。例えば、導電体１１のみで、円筒状のシース３３の内面３３Ｎと円筒状のガイディングカテーテル３２の外面３２Ｔとの隙間Ｐに入り込んで進行できるような強度、形状を有していれば、薄膜シート１６は不要で、導電体１１のみで、対極電極１０が形成されていてもよい。
【００６３】
また、対極電極１０は、電源４０と接続させるために、自身の一部を隙間Ｐの近位端から露出させなくてはならない。そのため、例えば、導電体１１の厚みを加味した薄膜シート１６全体の厚みが隙間Ｐよりも薄い場合、図７に示されるように、薄膜シート１６の表面等に、シース３３の端（近位端）の縁に当たることで、移動を停止させるストッパー１８が形成されてもよい。
【００６４】
なお、このようなストッパー１８ではなく、導電体１１の一部である接続端子１２および導通線１４の少なくとも一方が、シース３３の近位端から露出し、その近位端の縁に当たることで、対極電極１０の移動を停止させるストッパーの役割を果たしてもよい。
【符号の説明】
【００６５】
１０        対極電極
１１        導電体
１２        接続端子
１３        薄膜電極片
１４        導通線
１６        薄膜シート
１７        スリット
２０        電気離脱型コイル
２１        留置コイル
２２        プッシャー
２３        ワイヤー
２４        電極コイル
２５        接続片
３１        マイクロカテーテル
３２        ガイディングカテーテル
３２Ｔ      ガイディングカテーテルの外面
３３        シース
３３Ｎ      シースの内面
Ｐ          シースの内面とガイディングカテーテルの外面との隙間
４０        電源
４１        電源端子
４１Ａ      電源の正（＋）端子
４１Ｂ      電源の負（−）端子
５１Ａ      リード線
５１Ｂ      リード線
Ｘ          電気回路
ＫＴ        電気離脱型コイルキット
６０        動脈瘤
６１        患者
【図１】
2014207947.tif 000003
【図２】
2014207947.tif 000004
【図３】
2014207947.tif 000005
【図４】
2014207947.tif 000006
【図５】
2014207947.tif 000007
【図６】
2014207947.tif 000008
【図７】
2014207947.tif 000009
【図８】
2014207947.tif 000010